(57)【要約】　　　（修正有）【課題】玉が落下する力と、障害物にぶつかって反発する力を利用して、玉があみだくじの道順を描いて落下するように道筋をつけておき、玉の入り口と出口であみだくじの結果を表現するものである。【解決手段】傾斜する盤上の上部入り口から惰性をつけて落とすスタート台があり、玉が１段落ちるごとに階段状に落ちるように１段目の交差台から隣の段は１段下げた位置に配置し、交差台の右上から落ちてくる玉は左下の交差台へ、交差台の左上から落ちてくる玉は右下の交差台へ落ちるように交差台を設け、右端、左端の交差台を過ぎた玉はその端の壁面に衝突し、その勢いで玉の進行方向を逆転させひとつ段下の交差台へ落とす壁面を左右に設け、最終段の交差台の左右の下段には、玉の受け止め部を設けることにより、玉の入り口があみだくじの始点、玉の受け止め部があみだくじの終点、交差台があみだくじの横線を表現することが出来る。【選択図】　図１
2004130045.tif 000002
【特許請求の範囲】
【請求項１】
傾斜する盤上の上部入り口から、玉を右下または左下方向へ惰性をつけて落とすスタート台があり、玉が１段落ちるごとに階段状に落ちるように１段目の交差台から隣の段は１段下げた位置に配置し、交差台の右上から落ちてくる玉は左下の交差台へ、交差台の左上から落ちてくる玉は右下の交差台へ落ちるように交差台を設け、右端、左端の交差台を過ぎた玉はその端の壁面に衝突し、その勢いで玉の進行方向を逆転させひとつ段下の交差台へ落とす壁面を左右に設け、最終段の交差台の左右の下段には、玉の受け止め部を設けている特長を持つあみだくじ器。
【請求項２】
前記交差台の上部には、落ちてくる玉を反発させて進行方向を逆転させ、ひとつ下の交差台へ進行させるための障害物を載せて安定させるためのくぼみを有することを特徴とする請求項１に記載のあみだくじ器。
【発明の詳細な説明】
【０００１】
【発明の属する技術分野】
この発明は、玉が落下と横方向に転動する惰性と、障害物に衝突して反発する力を利用してなす玉の動きとその順路にて、あみだくじの縦線および横線とその結果を表現するあみだくじ器に関する。
【０００２】
【従来の技術】
従来、紙面上にあみだくじを描いて、人間の判断であみだくじの結果を導きだす必要があった。また、コンピュータなどの計算機であみだくじの結果を導きだす必要があった。また、複雑な通路や、バネ、磁性体などを駆使した複雑な仕組み、レーンを横断するボックスなどであみだくじの構成や結果を導きだす必要があった。
【０００３】
【発明が解決しようとする課題】
この発明は、複雑な通路や、バネ、磁性体などを駆使した複雑な仕組みなどを使用せず、玉が落下する力と、横方向へ転がる惰性と、障害物にぶつかって反発する力を利用して、玉があみだくじの道順を描いて落下するように障害物を配置し、玉の道筋をつけて、球体の入り口と終点であみだくじの結果を表現するものである。
【０００４】
【課題を解決するための手段】
傾斜する盤上の上部入り口から、玉を右下または左下方向へ惰性をつけて落とすスタート台があり、玉が１段落ちるごとに階段状に落ちるように１段目の交差台から隣の段は１段下げた位置に配置し、交差台の右上から落ちてくる玉は左下の交差台へ、交差台の左上から落ちてくる玉は右下の交差台へ落ちるように交差台を設け、右端、左端の交差台を過ぎた玉はその端の壁面に衝突し、その勢いで玉の進行方向を逆転させひとつ段下の交差台へ落とす壁面を左右に設け、最終段の交差台の左右の下段には、玉の受け止め部を設けることにより、玉の入り口があみだくじの始点、玉の受け止め部があみだくじの終点、交差台があみだくじの横線を表現することが出来、玉の転動する順路があみだくじの順路を表現することが出来る。
【０００５】
前記交差台の上部には、落ちてくる玉を反発させて進行方向を逆転させ、ひとつ下の交差台へ進行させるための障害物を載せて安定させるためのくぼみを有する。このくぼみに無作為に障害物を置いてゆくことで、あらかじめ交差台が表現していたあみだくじの順路を変更する事が出来る。つまり、あみだくじの横線を無作為に描くのではなく、あらかじめ描かれたあみだくじの横線を消去する手段であみだくじの順路を変更することが出来る。
【０００６】
【発明の実施の形態】
以下図面を参照して本発明を説明する。
図２のように傾斜したボード１の盤上に図１のようにスタート台４、交差台５の形状をして奥行きが順路変更玉７の直径より大きい物を貼り付ける。ボード１や４，５の材質が木材やプラスチックで、玉２の材質も木材、プラスチック、ガラス、金属などの場合は、４，５を硬化型の接着剤を使用して貼り付けた場合、玉２が４，５の上で跳ね上がりすぎ、途中で停止、脱路する場合があるので、十分接着強度があり、軟質な接着剤か両面テープを使用して４，５を貼り付ける事により、玉の反発力を吸収し、スムーズな玉の動きをさせる事が出来る。
【０００７】
前記の接着方法で、４，５を硬化型の接着剤を使用して貼り付けた場合でも、玉の表面が軟質のラバーで覆われたものなど、玉の反発力が吸収される処理を施してあるものを使用すれば、玉の跳ね上がりを防ぐ事が出来る。
【０００８】
前記の接着方法以外に、ボード１の表面処理にコルク材やラバー施した物であれば、これに４，５を硬化型の接着剤で貼り付けた場合でも、コルク材やラバーが玉の反発力を吸収し、玉の跳ね上がりを防ぐ事が出来る。
【０００９】
交差台の上部にある交差台のくぼみ９は、順路変更玉７を載せて固定する作用と、玉２が加速をつけすぎて転がらないように減速させる作用がある。
【００１０】
【実施例】
以下図面を参照して本発明を説明する。
図１の玉２が、玉入り口３ａから入ると、スタート台４に沿って玉は右下方向へ転動し、交差台５の上に乗っても惰性によって右方向へと転がってゆき、玉２の順路６のような順路をたどる。やがて交差台８に差し掛かった玉２は交差台８の上に載せた順路変更玉７に衝突し、左方向へと進む方向を変える。次に左端に差し掛かった玉２は、サイド壁１０に衝突し、また右方向へと進む方向をかえ、最終的に玉受け口１１ｂへと収まる。
【００１１】
前記あみだくじ器の動きを実際のあみだくじで描くと図３のようになっており、あみだくじ器の入り口と出口の数は同じ６個であるから、あみだくじの縦線６本を意味し、交差台の配置と数は、そのままあみだくじの横線を意味している。そして図１の交差台８に載せた順路変更玉７は図３のあみだくじ横線取り消し点１４を意味している。よって図１の玉入り口３ａは図３のあみだくじ始点１３と同じ場所であるから、図３のあみだくじの順路１５をたどると、あみだくじ終点１６は図１の玉受け口１１ｂと同じ場所であることが説明できる。
【００１２】
【発明の効果】
この発明は、玉が落下する力と、横方向へ転がる惰性と、障害物にぶつかって反発する力を利用して、玉があみだくじの道順を描いて落下し、玉の入り口と終点であみだくじの結果を表現することで、あみだくじの当たりの当選や順番の決定を楽しむ事が出来る。
【００１３】
また、簡単な構造であり、少ない部品種類で製作することが出来る。
【００１４】
また、玉が転がる様子を正面から見て楽しむことが出来る。
【００１５】
また、玉が台や障害物に当たるときに発生する音が軽快であり、音色を楽しむことが出来る。
【００１６】
順路変更玉を無作為に置き替えてゆく事で、あみだくじの構成を簡単に変更することが出来る。
【図面の簡単な説明】
【図１】あみだくじ器を示した平面図である。
【図２】あみだくじ器を示した側面図である。
【図３】あみだくじ器の動作をあみだくじで説明した説明図である。
【符号の説明】
１　ボード
２　玉
３ａ〜３ｆ　玉入り口
４　スタート台
５、８　交差台
６　玉２の順路
７　順路変更玉
９　交差台のくぼみ
１０　サイド壁
１１ａ〜１１ｆ　玉受け口
１３　あみだくじ始点
１４　あみだくじ横線取り消し点
１５　あみだくじの順路
１６　あみだくじ終点
【図１】
2004130045.tif 000003
【図２】
2004130045.tif 000004
【図３】
2004130045.tif 000005